【手続補正書】
【提出日】平成24年3月31日(2012.3.31)
【手続補正１】
【補正対象書類名】明細書
【補正対象項目名】特許請求の範囲
【補正方法】変更
【補正の内容】
【特許請求の範囲】
【請求項１】
動画のコンテンツの時々刻々の内容に合わせて付与された付帯情報としてのキャプションやタグやコメントなどを記録するための付帯情報記憶部と、広告などの告知情報を取得するためのアドレス情報を記録するためのアドレス情報記憶部と、前記付帯情報記憶部の付帯情報を分析して複数個のトピックを得ると共に、トピックのコンテンツ中の時間軸上での出現位置を調べて各々のトピックの出現位置を特定して出現位置情報を得るトピック生成手段と、各々のトピックと前記アドレス情報記憶部のアドレス情報とを比較して、各々のトピックにマッチングするアドレス情報を選び出して、前記出現位置情報を有するリンク情報を作成するリンク情報生成手段と、このリンク情報を受信側の表示画面に表示されるように送信する送信装置と、から構成されるリンク情報の提供装置。
【請求項２】
動画のコンテンツを構成する複数個のフレームの内の何れかのフレームに付与されたこのフレームの内容を表わすキャプションやタグやコメントなどの付帯情報を記録するための付帯情報記憶部と、広告などの告知情報を取得するためのアドレス情報を記録するためのアドレス情報記憶部と、前記付帯情報記憶部の付帯情報を分析して複数個のトピックを得ると共に、各々のトピックに係る付帯情報が属するフレームのコンテンツ中での出現位置を調べて各々のトピックの出現位置を特定して出現フレーム情報を得るトピック生成手段と、各々のトピックと前記アドレス情報記憶部のアドレス情報とを比較して、各々のトピックにマッチングするアドレス情報を選び出して、前記出現フレーム情報を有するリンク情報を作成するリンク情報生成手段と、このリンク情報を受信側の表示画面に表示されるように送信する送信装置と、から構成されるリンク情報の提供装置。
【請求項３】
動画のコンテンツに付与されたこのコンテンツの内容を表わすキャプションやタグやコメントなどの付帯情報を記録するための付帯情報記憶部と、広告などの告知情報を取得するためのアドレス情報を記録するためのアドレス情報記憶部と、前記付帯情報記憶部の付帯情報を分析して複数個のトピックを得るトピック生成手段と、または前記付帯情報記憶部の付帯情報から操作者が複数個のトピックを得るトピック特定手段と、各々のトピックのコンテンツ中での出現位置を操作者が特定してトピックに出現位置情報を付与する、出現位置情報付与手段と、各々のトピックと前記アドレス情報記憶部のアドレス情報とを比較して、各々のトピックにマッチングするアドレス情報を選び出して、前記出現位置情報を有するリンク情報を作成するリンク情報生成手段と、このリンク情報を受信側の表示画面に表示されるように送信する送信装置と、から構成されるリンク情報の提供装置。
【請求項４】
前記リンク情報生成手段は、受信側の表示画面に前記リンク情報に係る表示を静止画または動画によるアイコンで表示されるようにするための画像情報または動画情報を前記リンク情報に含めるものである、請求項１または請求項２または請求項３に記載のリンク情報の提供装置。
【請求項５】
動画のコンテンツの時々刻々の内容に合わせて付与された付帯情報としてのキャプションやタグやコメントなどを分析して得られるものであると共にコンテンツ中の時間軸上での出現位置が特定されて出現位置情報が付与されたものであるトピックと、広告などの告知情報を取得するためのアドレス情報と、のマッチングが調べられて作成された、前記出現位置情報を有するリンク情報と、前記動画と、を受信する受信装置と、表示画面に動画とリンク情報とを表示するための表示装置と、前記受信装置や表示装置の制御装置と、を備えており、この制御装置は、前記リンク情報を入力装置で選択し得るように且つ前記アドレス情報が指し示す告知情報にアクセスし得るように動画上に表示する際に、前記出現位置情報に基づいて適時に表示することを特徴とする、リンク情報の表示装置。
【請求項６】
動画のコンテンツを構成する複数個のフレームに付与されたフレームの内容を表わすキャプションやタグやコメントなどの付帯情報を横断的に検索して、広告などの告知情報を取得するためのアドレス情報とのマッチングを分析することにより得られるものであると共に、付帯情報が属するフレームのコンテンツ中での出現位置を示す出現フレーム情報が特定されて出現フレーム情報が付与されたものであるリンク情報と、前記動画と、を受信する受信装置と、表示画面に動画とリンク情報とを表示するための表示装置と、前記受信装置や表示装置の制御装置と、を備えており、この制御装置は、前記リンク情報を入力装置で選択し得るように且つ前記アドレス情報が指し示す告知情報にアクセスし得るように動画上に表示する際に、前記出現フレーム情報に基づいて適時に表示することを特徴とする、リンク情報の表示装置。
【請求項７】
動画のコンテンツに付与されたこのコンテンツの内容を表わすキャプションやタグやコメントなどの付帯情報を分析して得られるものであるかまたはこの付帯情報から操作者が特定して得られるものであると共に、コンテンツ中の時間軸上での出現位置が操作者により特定されて出現位置情報が付与されたものであるトピックと、広告などの告知情報を取得するためのアドレス情報と、のマッチングが調べられて作成された、前記出現位置情報を有するリンク情報と、前記動画と、を受信する受信装置と、表示画面に動画とリンク情報とを表示するための表示装置と、前記受信装置や表示装置の制御装置と、を備えており、この制御装置は、前記リンク情報を入力装置で選択し得るように且つ前記アドレス情報が指し示す告知情報にアクセスし得るように動画上に表示する際に、前記出現位置情報に基づいて適時に表示することを特徴とする、リンク情報の表示装置。
【請求項８】
前記制御装置は、リンク情報にアイコンを表示するための画像情報または動画情報が含まれている場合には、これを以てリンク情報に係る表示を静止画または動画によるアイコンで表示する、請求項５または請求項６または請求項７に記載のリンク情報の表示装置。
【請求項９】
前記制御装置は、表示画面に表示した動画の全部範囲または一部範囲をキャプチャして静止画または動画によるアイコンを生成し、リンク情報に係る表示を、このアイコンをハイパーリンク化したリンクボタンで表示する、請求項５または請求項６または請求項７に記載のリンク情報の表示装置。
【請求項１０】
前記制御装置は動画上に表示する前記リンク情報に係る表示に透過度を変化させるなどのエフェクトを掛ける制御を可能にするものである、請求項５乃至請求項９の何れか一に記載のリンク情報の表示装置。
【請求項１１】
更にリンク情報記憶部を備え、前記制御装置は、動画上に表示するリンク情報に係る表示を非表示等の目立たない表示にしておき、ユーザーによる入力装置からの保存命令がある時には、その時点でのリンク情報をまたはこのリンク情報を含む近傍のリンク情報を、後から見られるように前記リンク情報記憶部に保存するものである、請求項５乃至請求項９の何れか一に記載のリンク情報の表示装置。
【請求項１２】
前記制御装置は動画上に表示するリンク情報に係る表示を、通常は非表示等の目立たない表示をしておき、ユーザーによる入力装置からの表示命令がある時には、その時点で目立たない表示をしているリンク情報に係る表示を目立つように表示替えするのであるが、この際にこの表示を前記アドレス情報が指し示す告知情報にアクセスし得るように、アイコンをハイパーリンク化したリンクボタンで行なうものである、請求項５乃至請求項９の何れか一に記載のリンク情報の表示装置。
【請求項１３】
前記制御装置は動画上に表示するリンク情報に係る表示を、通常は非表示等の目立たない表示をしておき、ユーザーによる入力装置からの表示命令がある時には、その時点で目立たない表示をしているリンク情報に係る表示を目立つように表示替えするのであるが、この際にこの表示をリンク情報があることを知らせるアイコンで行ない、更にユーザーによる入力装置からの再度の表示命令があるかまたはこのアイコンの選択によって、前記リンク情報をまたはこのリンク情報を含む近傍のリンク情報を一覧表形式で表示するものである、請求項５乃至請求項９の何れか一に記載のリンク情報の表示装置。
【請求項１４】
更にリンク情報記憶部を備え、前記制御装置は、ユーザーによる入力装置からの前記表示命令がある時には、その時点でのリンク情報をまたはこのリンク情報を含む近傍のリンク情報を、後から見られるように前記リンク情報記憶部に保存するものである、請求項１２または請求項１３に記載のリンク情報の表示装置。
【請求項１５】
前記制御装置は、前記リンク情報記憶部から読み出したリンク情報に係る動画のコンテンツの再生命令が、ユーザーによって入力装置から入力された場合には、そのリンク情報が含む前記出現位置情報または前記出現フレーム情報を用いて、その出現情報に係る設定位置またはその近傍から動画を再生して前記表示装置の表示画面に表示するものである、請求項１１または請求項１４に記載のリンク情報の表示装置。
【請求項１６】
時間と共に移り変わる性質を有すると共にキャプションやタグやコメントなどのような付帯情報が関連付けされている、動画のコンテンツを中継する中継装置であって、少なくともコンテンツの主要部をクライアントコンピュータの表示画面のコンテンツ表示領域に表示されるように、通信によって転送するか、またはクライアントコンピュータからコンテンツの送信側にコンテンツ送信要求を出させるようにするコンテンツ中継手段と、受信した、前記コンテンツに関連付けされている付帯情報、を記録するための付帯情報記憶部と、広告などの告知情報を取得するためのアドレス情報を記録するためのアドレス情報記憶部と、前記付帯情報記憶部の付帯情報を分析して複数個のトピックを得ると共に、トピックの動画中の時間軸上での出現位置を、または各々のトピックに係る付帯情報が属するフレームのコンテンツ中での出現位置を、調べて各々のトピックの出現位置を特定して出現位置情報を得るトピック生成手段と、各々のトピックと前記アドレス情報記憶部のアドレス情報とを比較して、各々のトピックにマッチングするアドレス情報を選び出して、前記出現位置情報を有するまたは前記出現フレーム情報を有するリンク情報を作成するリンク情報生成手段と、このリンク情報を受信側の表示画面に表示されるように送信する送信装置と、から構成されるリンク情報の提供装置。